(57)【要約】      （修正有）【課題】うちわを傷つけることなく持ち運ぶことができるとともに、雨等に濡れにくく屋外でも使用することができるうちわ収納具を提供する。【解決手段】うちわ収納具１は、前シート２と後シート４を有するとともに開口部１２を有する、うちわを収納するための袋状の本体６と、開口部１２を閉鎖可能なファスナ１４と、を備え、本体６は、うちわの扇部の形状に対応した形状の袋状の扇部収納部８と、扇部収納部８に一体に形成され且つうちわの柄の形状に対応した形状の柄収納部１０と、を有する。【選択図】図１
0003211683.tif 000002
【実用新案登録請求の範囲】
【請求項１】
前シートと後シートを有するとともに開口部を有する、うちわを収納するための袋状の本体と、前記開口部を閉鎖可能なファスナと、を備え、
前記本体は、うちわの扇部の形状に対応した形状の袋状の扇部収納部と、前記扇部収納部に一体に形成され且つ前記うちわの柄の形状に対応した形状の柄収納部と、を有する、
ことを特徴とするうちわ収納具。
【請求項２】
前記本体は、透光性を有する材料で構成されている、
請求項１に記載のうちわ収納具。
【請求項３】
前記前シートは、透明な材料で構成されている、
請求項１又は２に記載のうちわ収納具。
【請求項４】
前記前シート及び前記後シートは、互いに異なる材料で構成されている、
請求項１から請求項３のいずれか１項に記載のうちわ収納具。
【請求項５】
前記ファスナのテープ部分は、透光性を有する材料で構成されている、
請求項１から請求項４のいずれか１項に記載のうちわ収納具。
【請求項６】
前記ファスナは、前記扇部収納部の外縁において、最大横幅寸法位置よりも上方の領域に配置されている、
請求項１から請求項５のいずれか１項に記載のうちわ収納具。
【考案の詳細な説明】
【技術分野】
【０００１】
本考案は、うちわを収納するためのうちわ収納具に関する。
【背景技術】
【０００２】
従来、うちわを収納するケースとして、例えば特許文献１に記載されたものがある。この特許文献１に記載されたうちわ用ケースは、うちわを収容可能な略三角形の収納袋であり、収納袋の左右の半分側にファスナが設けられておりケースを開閉してうちわを収納することができる。またベルトを取り付けることにより、うちわをケースに収納した状態で持ち運びすることができる。
【先行技術文献】
【特許文献】
【０００３】
【特許文献１】特開２０１０−２５９７５３号公報
【考案の概要】
【考案が解決しようとする課題】
【０００４】
ところで、使用者は、例えばコンサート等のイベントでうちわを使用する場合がある。ところが、屋外のイベント時に雨が降ったりするとうちわが濡れてしまい、イベント後にうちわを使用したりきれいな状態で保管できなくなる。ここで、上記の特許文献１に記載されたようなうちわのケースを使用しようとすると、収納袋が略三角形なため、ケースをつけた状態でうちわの柄を握ることができず、うちわを使用することができない。
【０００５】
本考案の目的は、うちわを傷つけることなく持ち運ぶことができるとともに、雨等に濡れにくく屋外でも使用することができるうちわ収納具を提供することにある。
【課題を解決するための手段】
【０００６】
上記の目的を達成するために、本発明のうちわ収納具は、前シートと後シートを有するとともに開口部を有する、うちわを収納するための袋状の本体と、開口部を閉鎖可能なファスナと、を備え、本体は、うちわの扇部の形状に対応した形状の袋状の扇部収納部と、扇部収納部に一体に形成され且つうちわの柄の形状に対応した形状の柄収納部と、を有する、ことを特徴としている。
【０００７】
このように構成された本発明においては、前シートと後シートを有するとともに開口部を有する、うちわを収納するための袋状の本体を備えているので、本体内部にうちわを収納することにより、うちわを傷つけることなく持ち運ぶことができる。
また、本体が、うちわの扇部の形状に対応した形状の袋状の扇部収納部と、扇部収納部に一体に形成され且つうちわの柄の形状に対応した形状の柄収納部と、を有するので、うちわ収納具は、全体としてうちわの全体形状に対応した外形形状を有する。したがって、使用者は、うちわをうちわ収納具に収納した状態で、うちわの柄をうちわ収納具の上から把持することができるから、屋外のイベント時にもうちわ収納具にうちわを収納したままうちわを使用することができ、うちわが雨に濡れにくくなる。
【０００８】
本発明において、好ましくは、本体は、透光性を有する材料で構成されている。
このように構成された本発明においては、本体が透光性を有する材料で構成されているので、うちわをうちわ収納具に収納した状態でも、うちわの模様が外部から視認でき、うちわの模様を楽しむことができる。
【０００９】
本発明において、好ましくは、前シートは、透明な材料で構成されている。
このように構成された本発明においては、前シートが透明な材料で構成されているので、うちわをうちわ収納具に収納した状態でも、うちわの模様が外部からはっきり視認でき、うちわの模様を楽しむことができる。
【００１０】
本発明において、好ましくは、前シート及び後シートは、互いに異なる材料で構成されている。
このように構成された本発明においては、前シート及び後シートが互いに異なる材料で構成されているので、うちわ収納具の前後を判別しやすく、また使用者が好みの材料側のシートをうちわの前方向として使用することができるから、うちわ収納具の使用態様が多様になる。
【００１１】
本発明において、好ましくは、ファスナのテープ部分は、透光性を有する材料で構成されている。
このように構成された本発明においては、ファスナのテープ部分が透光性を有する材料で構成されているので、ファスナのテープ部分が透光性を有するので、テープ部分が、うちわ収納具に収納されたうちわの模様を隠すのが防止され、うちわの模様がより一層外部から見やすくなる。
【００１２】
本発明において、好ましくは、ファスナは、扇部収納部の外縁において、最大横幅寸法位置よりも上方の領域に配置されている。
このように構成された本発明においては、ファスナが、扇部収納部の外縁において、最大横幅寸法位置よりも上方の領域に配置されているので、ファスナを開けてうちわをうちわ収納具に収納する際に、うちわの外縁がうちわ収納具にひっかかることがなく、うちわを収納しやすい。
【図面の簡単な説明】
【００１３】
【図１】本発明の一実施形態に係るうちわ収納具の正面図である。
【図２】本発明の一実施形態に係るうちわ収納具にうちわを収納した状態を示す正面図である。
【考案を実施するための形態】
【００１４】
以下、本発明の好ましい実施形態を添付図面を参照して説明する。
図１は、本発明の一実施形態に係るうちわ収納具１の正面図であり、図２は、本発明の一実施形態に係るうちわ収納具１にうちわ１００を収納した状態を示す正面図である。本実施形態においては、図１の上下方向をうちわ収納具１の上下方向、左右方向をうちわ収納具１の左右方向として説明する。
【００１５】
図１及び図２に示すように、うちわ収納具１は、前シート２及び後シート４を有する本体６を有する。
本体６は、うちわの扇部１０２（図２）を収容するために、扇部１０２の形状に対応した形状の扇部収納部８と、うちわの柄１０４（図２）を収容するために、扇部収納部８に一体に形成されるとともに柄１０４の形状に対応した形状の柄収納部１０と、を有する。本実施形態では、扇部収納部８は、扇部１０２の形状に沿って、略円形に形成され、柄収納部１０は、柄１０４の形状に沿って、略矩形に形成されている。
【００１６】
前シート２及び後シート４は、うちわ収納具１の扇部収納部８の上側の一部を除いてその外縁が融着等によって互いに接着されており、これにより本体６は、袋状に形成される。本体６の上側において、前シート２と後シート４とが接着されていない部分には、開口部１２が形成される。
前シート２及び後シート４は、透光性を有する材料で構成されており、特に前シート２は、透明な材料で構成されており、後シート４は、半透明な材料で構成されている。このように、本実施形態では、前シート２及び後シート４は、互いに異なる材料で構成されている。
【００１７】
開口部１２には、ファスナ１４が取り付けられている。ここで、開口部１２は、扇部収納部８の外縁で、扇部収納部８の横幅寸法が最大となる位置、つまり最大横幅寸法位置から、上側の領域に形成されている。したがって、ファスナ１４も、同じ位置、すなわち、扇部収納部８の最大横幅寸法位置から、上側の領域に略円弧状に配置されている。
ファスナ１４は、ファスナ歯の両側に設けられたテープ部分１６を有し、このテープ部分１６の両側が、それぞれ前シート２及び後シート４に縫い付けられている。テープ部分１６は、透光性を有する材料で構成されている。
【００１８】
このような構造のうちわ収納具１では、ファスナ１４を開けて開口部１２を開き、うちわ１００の柄１０４を下側にしてうちわ収納具１に挿入すると、うちわ１００の柄１０４が柄収納部１０に収納され、扇部１０２が扇部収納部８に収納される。その後、ファスナ１４を閉めれば、図２に示すように、うちわ１００がうちわ収納具１に収納される。
【００１９】
このように構成された本実施形態によれば、次のような優れた効果を得ることができる。
うちわ収納具１が袋状の本体６を備えているので、うちわ１００をうちわ収納具１に収納することができ、うちわ１００を傷つけることなくバッグ等に入れて持ち運ぶことができる。
また、本体６がうちわ１００の扇部１０２の形状に対応する形状の扇部収納部８と、うちわ１００の柄１０４の形状に対応する形状の柄収納部１０とを有しているので、うちわ収納具１がうちわ１００とほぼ同じ形状となる。したがって、うちわ１００をうちわ収納具１に収納した状態で、柄１０４を握ることができる。これにより、例えばコンサート等のイベントにおいても、うちわ１００をうちわ収納具１に収納したまま使用することができ、例えば屋外のイベント時であってもうちわ１００が雨に濡れにくい。
【００２０】
本体６の前シート２及び後シート４が、透光性を有する材料、具体的には前シート２が透明な材料、後シート４が半透明な材料で構成されているので、うちわ１００をうちわ収納具１に収納した際に、うちわ１００の模様をうちわ収納具１の外側から見ることができる。したがって、コンサート等のイベント時にうちわ１００をうちわ収納具１に収納した状態で使用した場合でも、うちわ１００の模様がうちわ収納具１によって隠れてしまうのを防止することができる。
【００２１】
また、前シート２が透明な材料、後シート４が半透明な材料と、互いに異なる材料で構成されているので、うちわ１００の前後を判別しやすい。また、使用者が、うちわ１００の表裏の模様のいずれを前シート２側に、または後シート４側にするかを選択することができるので、使用者の使用用途に合わせてシートの種類を選択することができる。さらに、特に、例えば前シート２及び後シート４が両方とも同じ透明なシートで形成されている場合、前シート２及び後シート４が互いにくっついてしまってうちわ１００を入れにくくなるということが考えられるが、本実施形態では、前シート２及び後シート４が互いに異なる材料で構成されているので、両者が互いにくっつかない材料の組み合わせを選択することができ、うちわ１００の収納作業が容易になる。
【００２２】
ファスナ１４が、扇部収納部８の外縁において、最大横幅寸法の位置よりも上方の領域に配置されているので、ファスナ１４を開けてうちわ１００を収納するとき扇部１０２がうちわ収納具１に引っかかるのを防止することができ、うちわ１００をスムーズにうちわ収納具１に収納することができる。
また、ファスナ１４のテープ部分１６が透光性を有する材料で構成されているので、うちわ１００をうちわ収納具１に収納したときに、テープ部分１６がうちわ１００の模様を隠してしまうのを防止することができる。したがって、うちわ１００の模様が外側からよく見え、イベントで使用する際にも気にならない。
【００２３】
本発明は、以上の実施の形態に限定されることなく、例えば、以下のような態様であってもよい。
ファスナの取り付け領域は、扇収納部の最大横幅寸法よりも上方の領域に限らず、扇収納部の外縁であれば、どのような領域に設けられていてもよい。
ファスナのテープ部分は透光性を有する材料で構成されていたが、これに限らず、不透明な材料で構成されていてもよい。
前シート及び後シートは、互いに異なる材料で構成されていたが、これに限らず、同じ材料で構成されていてもよい。また、前シートは透明な材料で、後シートは半透明な材料で構成されることにより本体６が透光性を有する材料で構成されていたが、これに限らず、前シート及び後シートは、任意の材料を使用することができる。
【符号の説明】
【００２４】
１  うちわ収納具
２  前シート
４  後シート
６  本体
８  扇部収納部
１０  柄収納部
１２  開口部
１４  ファスナ
１６  テープ部分
【図１】
0003211683.tif 000003
【図２】
0003211683.tif 000004